(57)【特許請求の範囲】
【請求項１】
基地局から複数の移動局に対して同一の情報を送信するマルチキャスト伝送システムにおけるマルチキャスト伝送下り送信電力制御方法において、
移動局は、受信したマルチキャスト信号に対して誤りの検出を行う誤り検出手段と、該検出結果に基づき前記基地局に対して再送要求信号を基地局に送出する手段を有し、
基地局は、マルチキャスト信号を送信する手段と、前記複数の移動局が送信した該マルチキャスト信号に対する再送要求信号を受信する手段と、受信した再送要求信号に基づいてマルチキャスト信号の送信電力を制御する手段を有し、
前記基地局は、前記全移動局数に対する再送要求信号を送出した移動局数の割合を求め、求めた割合が所定値以上の場合は、前記送信電力を上げ、求めた割合が所定値以下の場合は、前記送信電力を下げることを特徴とするマルチキャスト伝送下り送信電力制御方法。
【請求項２】
複数の移動局に対して同一の情報を送信するマルチキャスト伝送システムにおける基地局において、
マルチキャスト信号を送信する手段と、前記複数の移動局が送信した該マルチキャスト信号に対する再送要求信号を受信する手段と、受信した再送要求信号に基づいてマルチキャスト信号の送信電力を制御する手段を有し、
前記送信電力を制御する手段は、前記全移動局数に対する再送要求信号を送出した移動局数の割合を求め、求めた割合が所定値以上の場合は、前記送信電力を上げ、求めた割合が所定値以下の場合は、前記送信電力を下げることを特徴とする基地局。
【発明の詳細な説明】
【０００１】
【発明の属する技術分野】
本発明は、移動通信において、移動局における干渉電力を低減し、基地局における送信電力の有効利用を行うマルチキャスト伝送下り送信電力制御方法及び基地局に関するものである。
【０００２】
【従来の技術】
図４は、従来のマルチキャスト伝送システムの構成例を示す図である。
【０００３】
図４のシステムは、マルチキャスト信号を送信する基地局１とこのマルチキャスト信号を受信する複数の移動局５とから構成されている。
【０００４】
基地局１では、マルチキャスト信号入力端２から入力されるマルチキャスト信号を送信機３に入力して送信波に変調した後に、予め決められている送信電力にて送信する。
【０００５】
一方、移動局５では、受信機６で受信したマルチキャスト信号を復調した後に、マルチキャスト信号出力端７から復調したマルチキャスト信号を出力する。
【０００６】
このように、従来のマルチキャスト伝送システムでは、基地局においてマルチキャスト信号の送信電力を適応的に制御する手段がないため、移動局の受信品質に適合した送信電力でマルチキャスト信号を送出することができなかった。
【０００７】
そのため、基地局は、セル内の全ての移動局が所要の受信品質を満たすことができるように、必要とされる送信電力よりは、大きめの送信電力で送信する必要があった。
【０００８】
つまり、基地局は、常にマージンを加算した送信電力で送信していた。
【０００９】
【発明が解決しようとする課題】
しかし、基地局の近くに移動局が存在するなどの偏りがある場合は、設定された送信電力では過剰となり、他セルの移動局又はマルチキャスト信号を受信しない移動局に対する干渉の原因となるばかりか、送信電力を有効に利用していないという点でも問題がある。
【００１０】
本発明は、上記問題に鑑みなされたものであり、マルチキャスト信号を受信する移動局の受信品質を保持しながら下り送信電力を低減し、他セルの移動局及びマルチキャスト信号を受信しない移動局に対する干渉電力の低減及び基地局送信電力の有効利用を図ることを目的とする。
【００１１】
【課題を解決するための手段】
上記課題を解決するために、本件発明は、以下の特徴を有する課題を解決するための手段を採用している。
【００１２】
請求項１に記載された発明は、基地局から複数の移動局に対して同一の情報を送信するマルチキャスト伝送システムにおけるマルチキャスト伝送下り送信電力制御方法において、移動局は、受信したマルチキャスト信号に対して誤りの検出を行う誤り検出手段と、該検出結果に基づき前記基地局に対して再送要求信号を基地局に送出する手段を有し、基地局は、マルチキャスト信号を送信する手段と、前記移動局が送信した該マルチキャスト信号に対する再送要求信号を受信する手段と、受信した再送要求信号に基づいてマルチキャスト信号の送信電力を制御する手段を有することを特徴とする。
【００１３】
請求項２に記載された発明は、請求項１記載のマルチキャスト伝送下り送信電力制御方法において、前記基地局は、１又は所定数の再送要求信号を受信したときは、前記送信電力を上げ、１又は所定数の再送要求信号を受信しないときは、前記送信電力を下げることを特徴とする。
【００１４】
請求項３に記載された発明は、請求項１記載のマルチキャスト伝送下り送信電力制御方法において、前記基地局は、前記全移動局数に対する再送要求信号を送出した移動局数の割合を求め、求めた割合が所定値以上の場合は、前記送信電力を上げ、求めた割合が所定値以下の場合は、前記送信電力を下げることを特徴とする。
【００１５】
請求項４に記載された発明は、複数の移動局に対して同一の情報を送信するマルチキャスト伝送システムにおける基地局において、マルチキャスト信号を送信する手段と、前記移動局が送信した該マルチキャスト信号に対する再送要求信号を受信する手段と、受信した再送要求信号に基づいてマルチキャスト信号の送信電力を制御する手段を有することを特徴とする。
【００１６】
請求項５に記載された発明は、請求項４記載の基地局において、１又は所定数の再送要求信号を受信したときは、前記送信電力を上げ、１又は所定数の再送要求信号を受信しないときは、前記送信電力を下げることを特徴とする。
【００１７】
請求項６に記載された発明は、請求項４載の基地局において、前記全移動局数に対する再送要求信号を送出した移動局数の割合を求め、求めた割合が所定値以上の場合は、前記送信電力を上げ、求めた割合が所定値以下の場合は、前記送信電力を下げることを特徴とする。
【００１８】
【発明の実施の形態】
次に、本発明の実施の形態について図面と共に説明する。
【００１９】
以下の説明では、基地局が送信するマルチキャスト信号は、ブロック単位で伝送され、各ブロックには誤り検出用のＣＲＣ（Ｃyclic Ｒedundancy Ｃheck）が付加されている信号であるとする。
（第１の実施例）
本発明の第１の実施例について図１を用いて説明する。
【００２０】
第１の実施例は、基地局が再送要求信号に基づいて、送信電力制御をする場合である。
（システム構成）
図１のシステムは、マルチキャスト信号を送信する基地局１１とこのマルチキャスト信号を受信する複数の移動局２１とから構成されている。
【００２１】
基地局１１は、受信機１２、信号数計測器１３、送信機３、送信電力制御機１７を有している。なお、信号数計測器１３は、再送要求信号を計測する回路で、後述するように、その内容に応じて、送信電力制御機１７を制御する。
【００２２】
また、移動局は、受信機６、誤り検出／ＡＲＱ器２２、送信機２３を有している。なお、誤り検出／ＡＲＱ器２２は、受信して復調したマルチキャスト信号に誤りを検出したとき、再送要求信号（ＡＲＱ信号）２４を送信機２３に送出する回路である。
（動作）
基地局１１では、マルチキャスト信号入力端２から入力されるマルチキャスト信号を、送信機３に入力して送信波に変調した後に、送信電力制御機１７にて、所定の電力に制御して送信する。
【００２３】
一方、移動局２１では、受信機６で受信したマルチキャスト信号４を復調して、マルチキャスト信号出力端７からマルチキャスト信号を出力する。
【００２４】
また、復調されたマルチキャスト信号は、誤り検出/ＡＲＱ器２２に印加される。誤り検出/ＡＲＱ器２２では、誤りの検出を行う。
【００２５】
誤り検出/ＡＲＱ器２２は、受信したマルチキャスト信号に対して、ブロック毎に誤り検出を行い、誤りが検出された場合、送信機２３に再送要求信号２４を送出する。再送要求信号２４を受けた送信機２３は、上りチャネル３２により、基地局１１に再送要求信号２４を送信する。
【００２６】
また、移動局２１は、ブロックに誤りが検出されない場合、次のブロックの受信待ち状態となる。
【００２７】
基地局１１は、上りチャネル３２を受信機１２で受信する。そして、受信機１２で復調した再送要求信号２４を信号数計測器１３に入力すると共に、再送要求信号出力端１５から再送要求信号を出力する。なお、基地局１１は、再送要求信号を受信すると、図示していないが、誤り検出されたブロックの再送処理を行う。
【００２８】
信号数計測器１３は、先ず、入力された再送要求信号を記憶する。つぎに、信号数計測器１３は、任意に指定する間隔で記憶された再送要求信号の数を計測する。
【００２９】
本実施例では、この間隔をラウンドトリップディレーの２倍長として以降の説明を続ける。
【００３０】
信号数計測器１３に再送要求信号が１個でも記憶されている場合は、送信電力制御機１７に対して送信電力増大を要求する。逆に１個も記憶されていない場合は、送信電力制御機１７に対して送信電力減少を要求する。ここでの送信電力の可変幅は予め決めておく。そして送信電力制御機１７にはマルチキャスト信号入力端２からのマルチキャスト信号を送信波に変調した信号が入力されており、制御した送信電力でマルチキャスト信号を送信する。
【００３１】
そして、送出するマルチキャスト信号のブロックがなくなるまで、この一連の動作を繰返す。
【００３２】
上記の送信電力制御の様子を、図２を用いて詳細に説明する。ここでは説明を容易にするため、移動局数は１局の場合とする。
【００３３】
図２（Ａ）は、基地局の送信電力を示し、図２（Ｂ）は、基地局の送信ブロックを示し、図２（Ｃ）は、移動局での受信ブロックを示す。
【００３４】
ＣＲＣを付加した一連のブロックで構成されるマルチキャスト信号が、図２（Ｂ）に示すように、基地局から順次移動局に送信する。ここでは、ラウンドトリップディレーを２ブロック長とした例である。つまり、ブロック１に対する移動局からの再送要求信号が基地局に届くタイミングは、ブロック３の送出前である。
【００３５】
なお、以下の説明では、基地局における送信電力制御のタイミングを、ラウンドトリップディレーの２倍長の間隔とする。この場合は、送信電力制御が４ブロック間隔で行われる。
【００３６】
まず、始めに、図２（Ａ）に示すように、送信電力P１にて送出したブロック１及び２の再送要求信号が、ブロック３及び４の送出前にて検出されないので、送信出力を１段階下げてP２とし、ブロック５以降を送出する。ブロック１から４までは送信電力はP１である。
【００３７】
次に送信電力P２で送出したブロック５及び６の再送要求信号が、ブロック７及び８の送出前にて検出されないので、送信出力を更に１段階下げてP３としブロック９以降を送出する。
【００３８】
次に送信電力P３で送出したブロック９及び１０に対する再送要求信号が検出されたので、送信電力を１段階上げてP２としブロック１１以降を送出する。
【００３９】
同様の方法により以降のブロックを送出する。
【００４０】
なお、上記説明では、再送要求信号の有無で、送信電力制御を行う例について説明したが、この場合であれば、信号数計測器１３で再送要求信号を計数する必要はなく、信号数計測器１３を省くこともできる。
【００４１】
また、上記説明では、再送要求信号の有無で、送信電力制御を行う例について説明したが、所定数の再送要求信号の有無で、送信電力制御を行うようにしてもよい。
（第２の実施例）
本発明の第２実施例について図３を用いて説明する。
【００４２】
第２の実施例は、マルチキャスト信号を受信する移動局数に対する再送要求信号を送出した移動局数の割合が、ある値以下又は以上の場合に送信電力制御をする場合である。
（システム構成）
図３のシステムは、マルチキャスト信号を送信する基地局３１とこのマルチキャスト信号を受信する複数の移動局４１とから構成されている。
【００４３】
基地局３１は、受信機１２、信号数計測器３３、送信機３、送信電力制御機１７を有している。なお、信号数計測器３３は、再送要求信号及び到達確認信号を計測する回路で、後述するように、その内容に応じて、送信電力制御機１７を制御する。
【００４４】
また、移動局は、受信機６、誤り検出／ＡＲＱ器４２、送信機２３を有している。なお、誤り検出／ＡＲＱ器４２は、受信して復調したマルチキャスト信号に誤りを検出したとき、再送要求信号４４を送信機２３に送出し、マルチキャスト信号を復調した信号に誤りを検出しなかったとき、到達確認信号４５を送信機２３に送出する回路である。
（動作）
基地局３１では、マルチキャスト信号入力端２から入力されるマルチキャスト信号を送信機３に入力して送信波に変調した後に、送信電力制御機１７にて、所定の電力に制御されて送信する。
【００４５】
一方、移動局４１では、受信機６で受信したマルチキャスト信号４を復調して、マルチキャスト信号出力端７からマルチキャスト信号を出力する。
【００４６】
また、復調されたマルチキャスト信号は、誤り検出/ＡＲＱ器４２に印加される。誤り検出/ＡＲＱ器４２は、誤りの検出を行う。
【００４７】
誤り検出/ＡＲＱ器４２は、受信したマルチキャスト信号のブロックに誤りが検出された場合、送信機２３に再送要求信号４４を送出し、受信したブロックに誤りが検出されなかった場合、送信機２３に到達確認信号４５を送出する。
【００４８】
再送要求信号４４又は到達確認信号４５を受けた送信機２３は、上りチャネル３２により、基地局１１に再送要求信号４４又は到達確認信号４５を送信する。
基地局３１は、上りチャネル３２を受信機１２で受信する。そして受信機１２で復調した再送要求信号４４又は到達確認信号４５を信号数計測器３３に入力すると共に、再送要求/到達確認信号出力端３５から再送要求信号４４又は到達確認信号４５を出力する。なお、基地局１１は、再送要求信号を受信すると、図示していないが、誤り検出されたブロックの再送処理を行う。
【００４９】
信号数計測器３３は、先ず、入力された再送要求信号４４又は到達確認信号４５を記憶する。
【００５０】
次に、信号数計測器３３は、第１の実施例と同様に任意に指定する間隔で、記憶された再送要求信号４４及び到達確認信号４５をそれぞれ計測する。
【００５１】
次に、マルチキャスト信号を受信する移動局数に対する再送要求信号を送信した移動局数の割合を求める。つまり、再送要求信号数/(再送要求信号数＋到達確認信号数)を計算する。そして、この値が、予め定めた値以下の場合、送信電力制御機１７に対して送信電力減少を要求する。逆に、予め定めた値より大きい場合、送信電力制御機１７に対して送信電力増大を要求する。
【００５２】
送信電力の可変幅は、第１の実施例と同様に予め決めておく。そして送信電力制御機１７には、マルチキャスト信号入力端２からのマルチキャスト信号を送信波に変調した信号が入力されており、制御した送信電力でマルチキャスト信号を送信する。
【００５３】
なお、上記説明では、再送要求信号を送信した移動局数の割合を求める例について説明したが、本件発明は、到達確認信号を送信した移動局数の割合（到達確認信号数/(再送要求信号数＋到達確認信号数)を計算して、送信電力制御を行ってもよい。但し、この場合は、送信電力制御は、再送要求信号を送信した移動局数の割合の場合とは、逆の制御となる。
【００５４】
【発明の効果】
以上説明したように、本発明ではマルチキャスト信号を受信する移動局から要求される再送要求信号を基地局で検出し、再送要求信号数又は再送要求信号を送信した移動局数の割合等に基づいて、送信電力を減少又は増大させる制御により、他セルの移動局及びマルチキャスト信号を受信しない移動局に対する干渉を低減し、さらに、基地局送信電力の有効利用を行うことが可能となる。
【図面の簡単な説明】
【図１】本発明の第１の実施例を説明するための構成例を示す図である。
【図２】第１の実施例における送信電力制御の様子の一例を示した図である。
【図３】本発明の第２の実施例を説明するための構成例を示す図である。
【図４】従来のマルチキャスト伝送システムの構成例を示す図である。
【符号の説明】
２    マルチキャスト信号入力端
３    基地局内送信機
４    マルチキャスト信号
５、２１、４１    移動局
６    移動局内受信機
７    マルチキャスト信号出力端
１、１１、３１    基地局
１２    基地局内受信機
１３    信号数計測器
１５    再送要求信号出力端
１７    送信電力制御機
２２、４２    誤り検出/ＡＲＱ器
２３    移動局内送信機
２４、４４    再送要求信号
３２    上りチャネル
３５    再送要求/到達確認信号出力端
４５    到達確認信号
【図１】
0003657850.tif 000002
【図２】
0003657850.tif 000003
【図３】
0003657850.tif 000004
【図４】
0003657850.tif 000005